(57)【要約】【課題】  糞採り用の袋の交換が容易であり、また排泄物処理具の持ち運びが便利である排泄物処理具を提供する。特に、使用しない時にはコンパクトになり、使用する時は弾性リングに取り付けた袋を簡単に拡張させて、散歩中の犬等の脱糞を肛門から直接収納することができ、また袋に収納した後は、これを袋ごと処分することが簡単にできるという、取扱いが簡便且つ衛生的であり、携帯に便利であるペット犬等の排泄物処理具を提供する。  【解決手段】  断面が矩形、円形又は楕円形からなる外筒と、該外筒内をスライドできる摺動体と、該摺動体に一端を固定し他端を取り外し可能又は両端を取り外し可能とした弾性リングと、外筒内に弾性リングの一部を収納できる空間部と、開口部に弾性リングの通し部を設けた糞採取用袋とを備え、糞採取用袋の通し部に弾性リングを挿入し、弾性リングの他端を弾性リングに掛止した後、外筒内で摺動体をスライドさせることにより、弾性リング及び糞採取用袋の開口部を拡張又は収縮させることを特徴とする排泄物処理具。【選択図】    図１
2006238726.tif 000002
【特許請求の範囲】
【請求項１】
断面が矩形、円形又は楕円形からなる外筒と、該外筒内をスライドできる摺動体と、該摺動体に一端を固定し他端を取り外し可能又は両端を取り外し可能とした弾性リングと、外筒内に弾性リングの一部を収納できる空間部と、開口部に弾性リングの通し部を設けた糞採取用袋とを備え、糞採取用袋の通し部に弾性リングを挿入し、弾性リングの他端を弾性リングに掛止した後、外筒内で摺動体をスライドさせることにより、弾性リング及び糞採取用袋の開口部を拡張又は収縮させることを特徴とする排泄物処理具。
【請求項２】
弾性リングが可撓性を有する線又は帯から成ることを特徴とする請求項１記載の排泄物処理具。
【請求項３】
外筒の長手方向に少なくとも１本のスリットを有し、該スリットから突出した突起又はボタンを摺動体に取り付け、手動により突起又はボタンを操作して摺動体をスライドさせることを特徴とする請求項１又は２記載の排泄物処理具。
【請求項４】
外筒の一端部又は両端部の近傍に、摺動体の移動を制限する取り外し可能なストッパーを設けたことを特徴とする請求項１〜３のいずれかに記載の排泄物処理具。
【請求項５】
外筒の一端を開放して弾性リングの拡張及び収縮させる摺動体の移動側とすると共に、外筒の他端を閉鎖して内面壁とし、摺動体と内面壁との間にバネを配置して、摺動体を常時引き込み側又は放出側に付勢することを特徴とする請求項１〜４のいずれかに記載の排泄物処理具。
【請求項６】
摺動体の先端に掛止用の１又は複数の突起を設けると共に、該突起に嵌合する穴を弾性リングの一端に設けて、摺動体に弾性リングをワンタッチで取り付け又は取り外し可能としたことを特徴とする請求項１〜５のいずれかに記載の排泄物処理具。
【請求項７】
外筒両端のストッパーの途中に、摺動体の移動を一時的に停止させるロック機構を設けたことを特徴とする請求項１〜６のいずれかに記載の排泄物処理具。
【請求項８】
断面が矩形外筒であって、断面が角張ったＣ字形を有する２個の長尺部材の背面を接合した形状の組立て体からなり、該組立て体にそれぞれ摺動体を設置すると共に、前記長尺部材の背面接合部の一部にスリットを設けて前記２個の摺動体を結合し、組立て体の両面から摺動体を同時に移動可能とするように構成したことを特徴とする請求項１〜６のいずれかに記載の排泄物処理具。
【請求項９】
長さ方向のスリット両端の背面接合部を、摺動体の移動を制限するストッパーとしたことを特徴とする請求項８記載の排泄物処理具。
【発明の詳細な説明】
【技術分野】
【０００１】
本発明は、排泄物、特にペット犬の糞等を処理する排泄物処理具に関する。
【背景技術】
【０００２】
公道を散歩中のペット犬の排泄物、特に糞を適切に処理することは、公道の衛生と美観を保持する上で重要であり、ペット犬の糞等を簡便且つ衛生的に処理可能な用具が求められている。
【０００３】
このため、散歩中のペット犬の糞等を処理することを目的とする種々の用・器具が提案されている（例えば、特許文献１〜５参照）。その多くは、手で保持可能な棒状の柄と該柄の先端に接続する機構を有するリング状の部品とを備え、糞等を収納するための袋の開口部を該リング状部品で保持するものであり、ある提案では、糞等を収納した袋の開口部を閉じるための機構が備えられている。
【０００４】
この中で特許文献５は、糞を採取する袋を既存の買い物袋などを利用し、それを、弾性材料を用いて広げるのであるが、袋の両端を掛け止めするために、どうしても横幅の広い糞取り器とならざるを得ない。これは持ち運びに非常に不利であるという欠点を有している。また、従来の器具はいずれもその構造がかなり複雑であり、その使用法は必ずしも簡便と言えない。また器具の形態上、犬の散歩等における携帯が必ずしも容易でないという問題がある。
【特許文献１】特開平９−１１７２３１
【特許文献２】特開２０００−１４２６７
【特許文献３】特開２００１−６１３６６
【特許文献４】特開２００３−２１９７４８
【特許文献５】特開２００４−２５００８７
【発明の開示】
【発明が解決しようとする課題】
【０００５】
本発明は上記の問題点を解決し、糞採り用の袋の交換が容易であり、また排泄物処理具の持ち運びが便利である排泄物処理具を提供する。特に、使用しない時にはコンパクトになり、使用する時は弾性リングに取り付けた袋を簡単に拡張させて、散歩中の犬等の脱糞を肛門から直接収納することができ、また袋に収納した後は、これを袋ごと処分することが簡単にできるという、取扱いが簡便且つ衛生的であり、携帯に便利であるペット犬等の排泄物処理具を提供する。
【課題を解決するための手段】
【０００６】
上記課題を解決するため鋭意研究の結果、以下の発明を完成するに至った。すなわち本発明は、
１）断面が矩形、円形又は楕円形からなる外筒と、該外筒内をスライドできる摺動体と、該摺動体に一端を固定し他端を取り外し可能又は両端を取り外し可能とした弾性リングと、外筒内に弾性リングの一部を収納できる空間部と、開口部に弾性リングの通し部を設けた糞採取用袋とを備え、糞採取用袋の通し部に弾性リングを挿入し、弾性リングの他端を弾性リングに掛止した後、外筒内で摺動体をスライドさせることにより、弾性リング及び糞採取用袋の開口部を拡張又は収縮させることを特徴とする排泄物処理具。
２）弾性リングが可撓性を有する線又は帯から成ることを特徴とする請求項１記載の排泄物処理具。
３）外筒の長手方向に少なくとも１本のスリットを有し、該スリットから突出した突起又はボタンを摺動体に取り付け、手動により突起又はボタンを操作して摺動体をスライドさせることを特徴とする請求項１又は２記載の排泄物処理具。
４）外筒の一端部又は両端部の近傍に、摺動体の移動を制限する取り外し可能なストッパーを設けたことを特徴とする請求項１〜３のいずれかに記載の排泄物処理具。
５）外筒の一端を開放して弾性リングの拡張及び収縮させる摺動体の移動側とすると共に、外筒の他端を閉鎖して内面壁とし、摺動体と内面壁との間にバネを配置して、摺動体を常時引き込み側又は放出側に付勢することを特徴とする請求項１〜４のいずれかに記載の排泄物処理具。
６）摺動体の先端に掛止用の１又は複数の突起を設けると共に、該突起に嵌合する穴を弾性リングの一端に設けて、摺動体に弾性リングをワンタッチで取り付け又は取り外し可能としたことを特徴とする請求項１〜５のいずれかに記載の排泄物処理具。
７）外筒両端のストッパーの途中に、摺動体の移動を一時的に停止させるロック機構を設けたことを特徴とする請求項１〜６のいずれかに記載の排泄物処理具。
８）断面が矩形外筒であって、断面が角張ったＣ字形を有する２個の長尺部材の背面を接合した形状の組立て体からなり、該組立て体にそれぞれ摺動体を設置すると共に、前記長尺部材の背面接合部の一部にスリットを設けて前記２個の摺動体を結合し、組立て体の両面から摺動体を同時に移動可能とするように構成したことを特徴とする請求項１〜６のいずれかに記載の排泄物処理具。
９）長さ方向のスリット両端の背面接合部を、摺動体の移動を制限するストッパーとしたことを特徴とする請求項８記載の排泄物処理具。
を提供するものである。
【発明の効果】
【０００７】
本発明は、糞採り用の袋の交換が容易であり、また排泄物処理具の持ち運びが便利であるという著しい効果を有する。すなわち、使用しない時にはコンパクトになり、使用する時は弾性リングに取り付けた袋を簡単に拡張させて、散歩中の犬等の脱糞を肛門から直接収納することができる。また、袋に収納した後は、これを袋ごと処分することが簡単にできるという効果を有する。このように、取扱いが簡便且つ衛生的であり、また処理具が棒状で短縮可能であるために携帯に便利であるという優れた効果を有する。
【発明を実施するための最良の形態】
【０００８】
次に、本願発明を図に基づいて説明する。なお、以下の図１〜５に基づく説明は、あくまで一例であって、これらの例に制限されるものではない。すなわち、本願発明は、特許請求の範囲に記載した発明思想に基づく変形、他の例又は他の実施態様は、全て本願発明に含まれるものである。
本発明の排泄物処理具１は、携帯に便利なように、概ね一本の棒状の形態となる外筒２を備えている。この外筒は、犬を連れて散歩する人が携行し易いように、また糞を処理するときに保持し易いように、断面が矩形（三角、四角、５角、六角等の多角形状、長方形）、円形又は楕円形のものを使用することができる。把持する部分のみを円形にすることもできる。本図１〜図３においては、一例として、断面がほぼ長方形の外筒を用いた場合について説明する。
外筒２の材料は携行するために、軽量で強度があるものが望ましく、通常プラスチックス材料を用いるが、金属製（特にアルミニウムやマグネシウム合金等の軽金属）、木製又はこれらの複合体を使用することもできる。しかし、材料としてはこれらに制限されるものではない。例えば薄肉のステンレス鋼等を使用することもできる。
外筒２の長さは２０〜５０ｃｍ程度がてごろである。あまり長いものは携帯に不便であり、また短すぎると糞取り操作ができ難くなるので、上記の長さの範囲とすることが望まれる。しかし、この長さを決めることは必要に応じて選択できることなので、上記の数値に制限されるものでないことは知るべきである。
【０００９】
外筒２内には、外筒２内をスライドできる摺動体３を有する。この摺動体３には手動で動かせるように、少なくとも１個の突起又はボタン４がついている。これは通常、図１〜図３に示すように、外筒２の両側に２個取り付けて、どちらの側からでも操作できるようにするのが望ましく、バランスも良いが、１個であっても良いし、また３個以上であっても良い。取り付けは特に制限する必要がない。
外筒２に内部に摺動体３を配置し、これを外側の突起又はボタン４によって移動させる必要があるので、突起又はボタン４が移動可能となるように、外筒２の長手方向の外壁に沿ってスリット５を設ける。このスリット５は外筒２の外壁６の全長又はその一部であっても良い。この場合、少なくとも摺動体３の充分な移動が可能となるスリット５を形成することが必要である。
【００１０】
しかし、摺動体３が勢い余って外筒２から脱落しないように、外筒２の一端部又は両端部近傍に、摺動体の移動を制限するストッパーを設けるのが望ましい。しかし、これは必ず必要というものではない。それは手動で操作できるからである。また、このストッパーは、取り外しできる構造のものが望ましい。取り外しできれば、修理又は清掃が容易となることが理解できるであろう。
次に、外筒２と摺動体３の具体的な構造を説明する。なお、上記の通り、この例はあくまで一例なので、本願発明はこの例に拘束されるものでないことを予め申し述べる。
この例では、図３に示すように外筒２の断面が角張ったＣ字形を有する２個の長尺部材（型材）７からなり、この長尺部材７の背面を接合した形状の組立て体８から構成されている。
この２個の長尺部材７は、接着材その他の手段で固着しても良いし、また交換又は組立てが容易となるように、取り外し可能としても良い。いずれの場合も使用できる。
【００１１】
組立て体８の角張ったＣ字形の空間部は摺動体３の溝となるので、それぞれに摺動体３を設置すること、すなわち組立て体８の表裏に２個設置することが可能となる。
組立て体８の角張ったＣ字形の空間部に摺動体３が安定して摺動できるように、組立て体８の内部に、長手方向の１又は複数本のレールを設けても良い。また、図３に示すように、この摺動体３は細長い板と四角板からなる２対の摺動体に構成して、組立て体８の長手方向フレームの一部を挟んだ構造にすると安定が増す効果がある。
また、前記長尺部材７の背面接合部の一部にスリット９を設け、かつ前記２対の摺動体３をピン等の手段により結合させ、その結合部をスリット９間で移動できるようにすると、組立て体８の内部に存在する２対の摺動体３は、突起又はボタン４の操作により、同時又は一体となって移動可能となる。
【００１２】
摺動体３の結合部は特に制限はないが、上記の通り、例えばピン、板、ねじを用いた固定することができる。この場合、結合部にピンを使用した場合、該摺動体３間のピンの長さを、長尺部材７の背面の接合した板の厚さよりもわずか長くして、長尺部材７の中で摺動体３が容易に移動できるようにすることが必要であるが、これは当然理解されるべきことでもある。
図３に示すように、長尺部材７に設けたスリット９は、長尺部材７の全長に亘るとスリット部から分離してしまうので、当然であるが全通していない。少なくとも１方は閉鎖されている。通常、長尺部材７の両端にまでスリット９が至らず、両端で結合している構造とする。この場合、長さ方向のスリット９両端の背面接合部が結合していることにより、摺動体３に設けたピンによって、それ以上の端部方向への移動を防止することができる。すなわちスリットが形成されていない長尺部材７の結合部は、摺動体３移動を制限するストッパーとしての役割を持つ。
【００１３】
図３に示すように、一方の摺動体３の前方に弾性リング１０の一端を固定し他端を取り外し可能とする。この弾性リング１０は、後述するように糞採取用袋１１の通し部１２に取り付けるものであるが、弾性リング１０の一端が開放できるようになっていれば良いので、他端を固定する構造とすることができる。勿論、必要に応じて、弾性リング１０の両端を摺動体３に取り外しできる構造とすることもできる。
弾性リング１０の長さは４０〜６０ｃｍ程度のものをほぼ円弧形状に湾曲させて使用する。しかし、この弾性リング１０の長さは、必要に応じて任意に選択できることなので、上記の数値に制限されるものでないことは知るべきである。
また、外筒２内には、弾性リング１０の一部（大部分）を収納できる空間部を有する。外筒２内に摺動体３を引き込むことによって、摺動体３に結合した弾性リング１０は同時に外筒２内に引き込まれるので、弾性リング１０は図に示すように、径が縮小する。また、外筒２内で摺動体３を押し出すと、弾性リング１０は径が拡大する。
【００１４】
この弾性リング１０は可撓性を有する線（ワイヤーを含む）又は帯から作製することができる。材料としては、主にプラスチックス材料を用いるが、金属製（アルミニウムやマグネシウム合金等の軽金属、薄肉のステンレス鋼や普通鋼）、木製、あるいはこれらの複合体を使用することもできる。強度と弾性があり、かつ軽量であれば、特に材料に制限はない。
図１及び図２に示すように、この弾性リング１０に糞採取用の袋１１を取り付けるのであるが、糞採取用の袋１１の開口部に弾性リング１０を通すための通し部１２を設ける。この通し部１２は、予め専用の糞採取用の袋１１とすることができるが、簡便にナイロンなどの樹脂製袋の縁部を重ね折りし、その一部を、粘着テープ等を利用して貼り、通し部１２とすることもできる。
糞採取用袋１１の口の全周に弾性リング１０を通す必要はなく、全周の約２／３〜４／５程度で良い。約１／３〜１／５程度の残存部１１Ａは、袋１１の通し部１２に余裕が生じるので、弾性リング１０を導通させる場合及び袋１１を取り外す場合に便利である。袋１１の口を収縮したものを拡張するときには、弾性リング１０の上を通し部１２が摺動して自動的に袋１１の口が拡張する。この残存部１１Ａは、袋１１の口を拡張させた時に、さらに手で開度を調節するための“つまみ”として役立つ。
【００１５】
このように作製した糞採取用の袋１１の通し部１２に、開放された弾性リング１０の一端を通し、次に弾性リング１０の該端を摺動体３に取り付ける。
図３に示すように、摺動体３には微小な突起１４を、弾性リング１０には前記微小な突起に嵌る小孔１５を設けて、他方ワンタッチで取り付けられるようにするのが良い。このワンタッチの取り付けは、このような微小突起と小孔に限定されるのもではなく、他の構造であっても良い。
このように、弾性リング１０に糞採取用の袋１１を拡張した状態で、散歩中の犬等の脱糞を肛門から直接収納することができる。袋に糞を収納した後は、これを弾性リングから取り、袋ごと処分することが簡単にできる。
前記長尺の排泄物処理具１は、概ね一本の棒状の形態となるので狙いが定め易く、取扱いが簡便且つ衛生的であるという著しい効果を有する。また、処理具が棒状で短縮可能であるために携帯に便利であるという優れた効果を有する。
【００１６】
図４に、断面円形の外筒２及び摺動体２１の例を示す。摺動体２１にはロッド２２が固定又は取外し可能に取り付けられており、このロッド２２の先端近傍位置に、弾性リング１０を取り付け可能にする突起１４が設けられている。また、ロッド２２の後部に、左右同形に延長したピン２０が設けられており、外筒２の両側に形成したスリット５から外側に突出している。ピン２０の両端にボタン４が取り付けられている。
図４に示すように、スリット５は外筒２の前方位置から後方位置まで在る。ボタン４の操作により、摺動体２１及びこれに結合したロッド２２を、外筒２内で移動させることができる。この場合、スリット５の長さはその移動の距離を制限する役目をする。摺動体２１を外筒２内に引き込むことによって、弾性リング１０も外筒２内に引き込むことができ、弾性リング１０の径を縮小させることができる。拡張する場合にはこの操作の逆を行うことにより達成できる。
摺動体２１は外筒２内の適宜の位置で固定できるようにロック機構（図示せず）を設けることができる。このロック機構は、一般に使用されているバネにより付勢されるボタン式のもので良い。
【００１７】
上記においては、全て手動による操作について説明したが、図４及び図５に示すように、外筒２の一端を開放して弾性リング１０の拡張及び収縮させる摺動体１８の移動側とすると共に、外筒２の他端を閉鎖して内面壁１６とし、摺動体１８と内面壁１６との間にバネ１７を配置して、摺動体を常時引き込み側又は放出側に付勢する構造とすることができる。これらの図４及び図５で使用する摺動体は図１〜図３で使用する摺動体とは異なる形状の例を示すので、新たな摺動体１８とした。
この図４及び図５で示す弾性リング１０の両端は、摺動体１８の内部に配置した任意の取り付け部材１９に取り外し可能に固定されており、この取り付け部材１９は内面壁１６に固定されている。このような構造から、バネ１７によって摺動体１８を移動させることができ、摺動体１８の移動に伴って弾性リング１０が拡張又は収縮する。
したがって、弾性リング１０に取り付けた糞採取用袋１１はそれに伴って拡張又は収縮することになる。
【００１８】
この場合、摺動体１８の先端又は後端近傍に掛止用の１又は複数の突起、外筒２の対抗する位置に窪みを設ける等のストッパー１３により、バネ１７によって付勢された摺動体３の移動を一時的に止めることができる。
図４に示すように、このストッパー１３は指で押すことにより係止するもので、開放時は図５に示すように、ストッパー１３は簡単なバネ板で上側に付勢され、外れるようになっている。また、これは先に述べたように、指で押すことにより簡単にフレームに摺動体１８を係止させることができる。
また、摺動体１８の移動工程の途中においても、前記ストッパーと同様な構造を用いて、摺動体の移動を一時的に停止させるロック機構を設けることもできる。
【００１９】
外筒２から摺動体１８を押し出し、弾性リング１０の拡張する方向へ付勢されたバネ１７を使用した場合には、手動で摺動体１８を外筒２内部に引き込み、弾性リング１０の径を縮小し、その状態で係止又はロックして、ほぼ棒状の形で排泄物処理具１を携行することができる。そして、使用の際には、前記係止又はロックを解除し、バネ１７の付勢により、瞬時に弾性リング１０及び糞採取用の袋１１を拡張して、散歩中の犬等の脱糞を処理することができる。
【００２０】
他方、外筒２内に摺動体１８を引き込み、弾性リング１０を収縮する方向へ付勢されたバネ１７を使用した場合には、常時摺動体３が外筒２内部に引き込まれ、弾性リング１０の径を縮小しているので、ほぼ棒状の形で排泄物処理具１を携行することができ、持ち運びに便利である。使用の際には、手動でバネ１７の付勢に抗して、弾性リング１０及び糞採取用の袋１１を拡張すると共に、その拡張した状態で係止又はロックして、散歩中の犬等の脱糞を処理する。
いずれの場合も、バネ１７の付勢を利用した分だけ、簡便になり、極めて処理操作が楽になるという利点がある。
【産業上の利用可能性】
【００２１】
糞採り用の袋の交換が容易であり、また排泄物処理具の持ち運びが便利であるという著しい効果を有する。すなわち、使用しない時にはコンパクトになり、使用する時は弾性リングに取り付けた袋を簡単に拡張させて、散歩中の犬等の脱糞を肛門から直接収納することができる。また、袋に収納した後は、これを袋ごと処分することが簡単にできるという効果を有する。このように、取扱いが簡便且つ衛生的であり、また処理具が棒状で短縮可能であるために携帯に便利であるという優れた効果を有するので、排泄物、特にペット犬の糞等を処理する排泄物処理具として極めて有用である。
【図面の簡単な説明】
【００２２】
【図１】本願発明の排泄物処理具の一例であり、排泄物処理用の袋を開放した状態を示す外観説明図である。
【図２】図１において、携帯に便利なように排泄物処理用の袋を縮小した外観説明図である。
【図３】本願発明の一例である排泄物処理具の弾性リングの取り付け構造、摺動体の配置、長尺部材からなる組立て体の構造等を示す説明図である。
【図４】本願発明の断面円形の外筒２及び摺動体２１の例を示す説明図である。
【図５】本願発明の排泄物処理具において、摺動リングをバネによって付勢することができる構造を示すもので、弾性リングを拡張した場合の説明図である。
【図６】図４において、弾性リングを縮小した場合の説明図である。
【符号の説明】
【００２３】
１：排泄物処理具
２：外筒
３：摺動体
４：突起又はボタン
５：スリット
６：外壁
７：長尺部材
８：組立て体
９：スリット
１０：弾性リング
１１：糞採取用袋
１２：通し部
１３：ストッパー
１４：突起
１５：小孔
１６：内面壁
１７：バネ
１８：摺動体
１９：取り付け部材
２０：ピン
２１：摺動体
２２：ロッド
【図１】
2006238726.tif 000003
【図２】
2006238726.tif 000004
【図３】
2006238726.tif 000005
【図４】
2006238726.tif 000006
【図５】
2006238726.tif 000007
【図６】
2006238726.tif 000008